(57)【要約】【課題】平板状の接続対象の接続に適した同軸コネクタを提供すること。【解決手段】平板部を挟んで対向配置された信号導体及びグランド導体を有する接続対象１１に接続される同軸コネクタ１０であり、コンタクト２１とハウジング２２とシェル２３とを備える。コンタクトは、相手側コネクタの相手コンタクトと接続する接触部２４と、信号導体と接続する接続部とを有する。シェルは、相手側コネクタの相手シェルと接続するシェル接触部を備えた第１シェル部３１と、グランド導体と接続するシェル接続部を備えた第２シェル部３２とを有する。接続対象と接続する際、コンタクトの接続部とシェルのシェル接続部との間に接続対象を挟むことによって、コンタクトの接触部が信号導体に接続すると共にシェルのシェル接触部がグランド導体に接続する。【選択図】図１
2014053223.tif 000002
【特許請求の範囲】
【請求項１】
平板部を挟んで対向配置された信号導体及びグランド導体を有する接続対象に接続される同軸コネクタであって、
コンタクトと前記コンタクトを保持したハウジングと前記ハウジングの少なくとも一部を覆うシェルとを備え、
前記コンタクトは、相手側コネクタの相手コンタクトと接続する接触部と、前記信号導体と接続する接続部とを有し、
前記シェルは、前記相手側コネクタの相手シェルと接続するシェル接触部を備えた第１シェル部と、前記グランド導体と接続するシェル接続部を備えた第２シェル部とを有し、
前記接続対象と接続する際、前記コンタクトの前記接続部と前記シェルの前記シェル接続部との間に前記接続対象を挟むことによって、前記コンタクトの前記接触部が前記信号導体に接続すると共に前記シェルの前記シェル接触部が前記グランド導体に接続することを特徴とする同軸コネクタ。
【請求項２】
係合手段を更に有し、前記係合手段は、前記信号導体と前記接続部との位置決めを行いかつ前記接続対象が延びる方向への係合を兼ねる、請求項１に記載の同軸コネクタ。
【請求項３】
前記コンタクトの前記接触部を中央部に配置すると共に前記シェルの前記シェル接触部を前記コンタクトの前記接触部の周囲に配置することで同軸構成にした、請求項１又は２に記載の同軸コネクタ。
【請求項４】
前記コンタクトの前記接続部を前記シェルの前記シェル接触部の径方向外側に配置し、前記シェルの前記シェル接触部の外側で前記コンタクトと前記信号導体との接続を得る、請求項３に記載の同軸コネクタ。
【請求項５】
前記シェルは、前記第１シェル部と前記第２シェル部とを連結する連結部を有し、これにより前記第１シェル部と前記第２シェル部とが一体形成されている、請求項１から４のいずれか一項に記載の同軸コネクタ。
【発明の詳細な説明】
【技術分野】
【０００１】
本発明は同軸コネクタに関し、特に、平板状の接続対象の接続に使用できる同軸コネクタに関する。
【背景技術】
【０００２】
平板形状の接続対象として、ＦＰＣ（flexible printed circuit）が知られている。一般的なＦＰＣは、絶縁性の平板部を挟んで対向配置された信号導体及びグランド導体を有している。この種の接続対象を例えばプリント基板に接続する際には、通常、コネクタが使用される。即ち、接続対象に接続したコネクタを、プリント基板に備えた相手コネクタに嵌合させ、これにより接続対象の信号導体及びグランド導体をプリント基板に接続する。
【０００３】
また特許文献１には、断面円形の同軸ケーブルの接続に使用する同軸コネクタの一例が開示されている。
【先行技術文献】
【特許文献】
【０００４】
【特許文献１】特開２００２−３２４６３６号公報
【発明の概要】
【発明が解決しようとする課題】
【０００５】
しかしながら、特許文献１の同軸コネクタでは、同軸ケーブルのシールド線の結線作業が煩雑であり、組立工数の増加をまねいている。またコネクタの厚み寸法や長さ寸法が大きくなりやすいという構造上の問題をもっている。したがって、特許文献１の同軸コネクタは平板状の接続対象の接続には適しない。
【０００６】
それ故に本発明の目的は、平板状の接続対象の接続に適した同軸コネクタを提供することにある。
【課題を解決するための手段】
【０００７】
本発明の一態様によれば、平板部を挟んで対向配置された信号導体及びグランド導体を有する接続対象に接続される同軸コネクタであって、コンタクトと前記コンタクトを保持したハウジングと前記ハウジングの少なくとも一部を覆うシェルとを備え、前記コンタクトは、相手側コネクタの相手コンタクトと接続する接触部と、前記信号導体と接続する接続部とを有し、前記シェルは、前記相手側コネクタの相手シェルと接続するシェル接触部を備えた第１シェル部と、前記グランド導体と接続するシェル接続部を備えた第２シェル部とを有し、前記接続対象と接続する際、前記コンタクトの前記接続部と前記シェルの前記シェル接続部との間に前記接続対象を挟むことによって、前記コンタクトの前記接触部が前記信号導体に接続すると共に前記シェルの前記シェル接触部が前記グランド導体に接続することを特徴とする同軸コネクタが得られる。
【発明の効果】
【０００８】
本発明の一態様による同軸コネクタは、コンタクトの接続部とシェルのシェル接続部との間に接続対象を挟み、接続対象の平板部を挟んで対向配置された信号導体及びグランド導体との接続を得る構成であるため、接続工数の削減が図れ、かつコネクタの厚さを薄くでき、長さも短くすることができる。
【図面の簡単な説明】
【０００９】
【図１】本発明の一実施形態に係る同軸コネクタをＦＰＣに接続した状態を示す斜視図。
【図２】図１の同軸コネクタをＦＰＣに接続する前の状態を示す斜視図。
【図３】図２に示すＦＰＣの反対面側を示す斜視図。
【図４】図１及び図２に示す同軸コネクタの分解斜視図。
【図５】図１及び図２に示す同軸コネクタに接続可能な相手コネクタの斜視図。
【図６】図１及び図２に示す同軸コネクタと図５に示す相手コネクタとの接続状態を示す斜視図。
【図７】本発明の他の実施形態に係る同軸コネクタをＦＰＣに接続する前の状態を示す斜視図。
【発明を実施するための形態】
【００１０】
図１は本発明の一実施形態に係る同軸コネクタ１０をＦＰＣ１１に接続した状態を示し、図２は同軸コネクタ１０をＦＰＣ１１に接続する前の状態を示し、図３はＦＰＣ１１の反対面側を示し、図４は同軸コネクタ１０の分解状態を示す。
【００１１】
ここで使用しているＦＰＣ１１は、細長い絶縁性の平板部１２と、平板部１２の表面側に配置された信号導体１３と、平板部１２の裏面側に配置されたグランド導体１４と、表面及び裏面をそれぞれ形成する表絶縁層１５及び裏絶縁層１６とを有している。即ち、ＦＰＣ１１は、平板部１２を挟んで対向配置された信号導体１３及びグランド導体１４を有する接続対象を構成している。ＦＰＣ１１の長手方向Ａ１における一端部１７では、信号導体１３及びグランド導体１４が両面にそれぞれ露出している。また、その一端部１７には、幅方向Ａ２における両端面に切り欠き部１８が形成されている。
【００１２】
同軸コネクタ１０は、弾性を有する金属製のコンタクト２１と、コンタクト２１を保持した絶縁性のハウジング２２と、ハウジング２２の少なくとも一部を覆うシェル２３とを備えている。コンタクト２１は、２枚の接触片を有する接触部２４と、接触部２４から一側に延びて突出した接続部２５とを一体に有している。
【００１３】
ハウジング２２は、柱状部２６と、柱状部２６から径方向外側に延びて突出した接続対象受部２７とを一体に有している。柱状部２６の中央部には、コンタクト２１の接触部２４が配置される。接続対象受部２７の上面２７ａには受け溝２８が形成されている。この受け溝２８にコンタクト２１の接続部２５が上面２７ａから少し突出した状態で配置される。なお、接続対象受部２７には、ＦＰＣ１１の切り欠き部１８にそれぞれ対応した二つの突起２９が受け溝２８を間にして形成されている。
【００１４】
同軸コネクタ１０をＦＰＣ１１に接続する場合、接続対象受部２７の上にＦＰＣ１１の一端部１７が信号導体１３を下にして装着される。その際、ＦＰＣ１１の切り欠き部１８をハウジング２２の突起２９にそれぞれ嵌合させる。この結果、ＦＰＣ１１の切り欠き部１８とハウジング２２の突起２９は、信号導体１３とコンタクト２１の接続部２５との位置決めを行いかつＦＰＣ１１が延びる方向即ち第１の方向Ａ１への係合を兼ねる係合手段を構成する。
【００１５】
シェル２３は、ハウジング２２の柱状部２６の周囲に表面側（図４では下側）から嵌合配置され、シェル接触部３７を備えた金属製の第１シェル部３１と、ハウジング２２の接続対象受部２７に裏面側から装着され、シェル接続部３８を備えた金属製の第２シェル部３２との２部品からなる。シェル２３のシェル接触部３７は筒状に形成された部品であり、ハウジング２２の突起３３が穴３４に嵌合することで、ハウジング２２に固定される。ハウジング２２の柱状部２６に対し、コンタクト２１とシェル２３のシェル接触部３７とが取り付けられると、実質的に同軸構成となる。なお、コンタクト２１の接続部２５は、シェル２３の筒状のシェル接触部３７の径方向外側に配置される。
【００１６】
一方、シェル２３のシェル接続部３８は、断面コ字状に形成された部品であり、シェル接触部３７及び接続対象受部２７の外側に嵌合するようにハウジング２２に装着される。なお、第１シェル部３１と第２シェル部３２をハウジング２２に固定する際には、第１シェル部３１と第２シェル部３２とを相互に接続する接触部（図示せず）によって第１シェル部３１と第２シェル部３２とが電気的に接続される。その際、接続対象受部２７に装着されたＦＰＣ１１の一端部１７のグランド導体１４に、シェル接続部３８の内面を面接触させる。さらに、シェル接続部３８の対の羽部３６を内側に折り曲げて、ハウジング２２の接続対象受部２７を包み込む。この結果、シェル接続部３８は、ＦＰＣ１１のグランド導体１４に密着した状態で接続対象受部２７に固定され、かつ接続部２５の弾性によりグランド導体１４がシェル接続部３８に接触して電気的に接続される。また同時に、ＦＰＣ１１の一端部１７の信号導体１３がコンタクト２１の接続部２５に弾性接触して、シェル２３のシェル接触部３７の外側でコンタクト２１と信号導体１３とが電気的に接続される。
【００１７】
こうして、同軸コネクタ１０をＦＰＣ１１に接続する際、コンタクト２１の接続部２５とシェル２３のシェル接続部３８との間にＦＰＣ１１を挟むことによって、コンタクト２１の接触部２４が信号導体１３に接続すると共にシェル２３のシェル接触部３７がグランド導体１４に接続する。この同軸コネクタ１０によると、接続工数の削減が図れ、かつコネクタの厚さを薄くでき、長さも短くすることができる。
【００１８】
図５は上述した同軸コネクタ１０の接続相手となる相手コネクタ４０を示し、図６は同軸コネクタ１０を相手コネクタ４０に接続させた状態を示す。
【００１９】
相手コネクタ４０は、同軸コネクタ１０のコンタクト２１の接触部２４に接触する導電性の相手接触部４１と、同軸コネクタ１０のシェル２３のシェル接触部３７に接触する導電性の相手シェル４２と、相手接触部４１及び相手シェル４２を保持した絶縁性の相手ハウジング４３とを有している。相手コネクタ４０はプリント基板（図示せず）に搭載され、相手接触部４１及び相手シェル４２にそれぞれ接続されている相手接続部４４，４５をプリント基板上の電気回路のパッド（図示せず）上に半田付けなどにより接続される。
【００２０】
こうしてプリント基板に搭載された相手コネクタ４０に同軸コネクタ１０を嵌合させることにより、ＦＰＣ１１をプリント基板に容易に接続することができる。
【００２１】
図７は本発明の他の実施形態に係る同軸コネクタ５０をＦＰＣ１１に接続する前の状態を示す。図２と同様な部分については同じ参照符号を付して説明を省略する。
【００２２】
図７の同軸コネクタ５０においては、第１シェル部３１と第２シェル部３２とが金属により一体に形成され、シェル２３が構成されている。即ち、シェル２３の第１シェル部３１と第２シェル部３２とが連結部５１により連結されている。連結部５１の折り曲げを伴って、シェル接続部３８をシェル接触部３７及び接続対象受部２７の外側に嵌合させる。これによると、シェル２３の第１シェル部３１と第２シェル部３２との電気的接続が確実に得られ、部品点数の削減が図れる。
【００２３】
上述では接続対象としてＦＰＣを用いているが、これに限らず、類似のものでも同様に実施可能である。
【００２４】
なお、本発明は上記実施形態に限られることはなく、またその一部又は全部は以下の付記のようにも記載され得るがそれらには限られない。
【００２５】
（付記１）
平板部１２を挟んで対向配置された信号導体１３及びグランド導体１４を有する接続対象１１に接続される同軸コネクタ１０であって、
コンタクト２１と前記コンタクトを保持したハウジング２２と前記ハウジングの少なくとも一部を覆うシェル２３とを備え、
前記コンタクトは、相手側コネクタ４０の相手コンタクト４１と接続する接触部２４と、前記信号導体と接続する接続部２５とを有し、
前記シェルは、前記相手側コネクタの相手シェル４２と接続するシェル接触部を備えた第１シェル部３１と、前記グランド導体と接続するシェル接続部を備えた第２シェル部３２とを有し、
前記接続対象と接続する際、前記コンタクトの前記接続部と前記シェルの前記シェル接続部との間に前記接続対象を挟むことによって、前記コンタクトの前記接触部が前記信号導体に接続すると共に前記シェルの前記シェル接触部が前記グランド導体に接続することを特徴とする同軸コネクタ。
【００２６】
（付記２）
係合手段１８，２９を更に有し、前記係合手段は、前記信号導体と前記接続部との位置決めを行いかつ前記接続対象が延びる方向Ａ１への係合を兼ねる、付記１に記載の同軸コネクタ。
【００２７】
（付記３）
前記コンタクトの前記接触部２４を中央部に配置すると共に前記シェルの前記シェル接触部３１を前記コンタクトの前記接触部の周囲に配置することで同軸構成にした、付記１又は２に記載の同軸コネクタ。
【００２８】
（付記４）
前記コンタクトの前記接続部２５を前記シェルの前記シェル接触部３７の径方向外側に配置し、前記シェルの前記シェル接触部の外側で前記コンタクトと前記信号導体との接続を得る、付記３に記載の同軸コネクタ。
【００２９】
（付記５）
前記シェルは、前記第１シェル部３１と前記第２シェル部３２とを連結する連結部５１を有し、これにより前記シェルの第１シェル部と第２シェル部とは一体形成されている、付記１から４のいずれか一項に記載の同軸コネクタ。
【符号の説明】
【００３０】
１０  同軸コネクタ
１２  平板部
１３  信号導体
１４  グランド導体
１５  表絶縁層
１６  裏絶縁層
１７  一端部
１８  切り欠き部（係合手段）
２１  コンタクト
２２  ハウジング
２３  シェル
２４  接触部
２５  接続部
２６  柱状部
２７  接続対象受部
２７ａ  上面
２８  受け溝
２９  突起（係合手段）
３１  第１シェル部
３２  第２シェル部
３３  突起
３４  穴
３６  羽部
３７  シェル接触部
３８  シェル接続部
４０  相手コネクタ
４１  相手接触部
４２  相手シェル
４３  相手ハウジング
４４  相手接続部
５０  同軸コネクタ
５１  連結部
Ａ１  長手方向
Ａ２  幅方向
【図１】
2014053223.tif 000003
【図２】
2014053223.tif 000004
【図３】
2014053223.tif 000005
【図４】
2014053223.tif 000006
【図５】
2014053223.tif 000007
【図６】
2014053223.tif 000008
【図７】
2014053223.tif 000009